(57)【要約】【課題】  本考案は、１０個の表示面が完全に同一の形状をもち、その表示面が占める場所の地形的な条件や比重も完全に均等で、転がりもよく、しかも確かで安定的な制止を見せる１０面サイコロの提供を課題とする。【解決手段】  球表面を想定し、その大円（１）上に、等間隔で１０個の点（２）を設ける。それらの点を、交互に、大円で二分された両方の半球の頂点（３）と結び、半球ごと、それぞれ５本の弧（４）を得る。大円の両半球側、５個づつの点で分けられた大円のそれぞれを、大円上の弧とみなす。これらの頂点と結ぶ弧と、大円上の弧を、可塑材や構造物などで形成する球の基準線として確定させ、この線や、弧に内在する弦（５）などによって得られた１０個の区画を、サイコロの目や、数字などの表示領域とし、表示領域を平面（６）や曲面（７）、凹面あるいは球面などで構成した１０面サイコロである。【選択図】            図４
0003102709.tif 000002
【実用新案登録請求の範囲】
【請求項１】
球表面を想定し、その大円（１）上に、等間隔で１０個の点（２）を設ける。それらの点を、交互に、大円で二分された両方の半球の頂点（３）と結び、半球ごと、それぞれ５本の弧（４）を得る。大円の両半球側、５個づつの点で分けられた大円のそれぞれを、大円上の弧とみなす。これらの頂点と結ぶ弧と、大円上の弧を、可塑材や構造物などで形成する球の基準線として確定させ、この線や、弧に内在する弦（５）などによって得られた１０個の区画を、サイコロの目や、数字などの表示領域とし、表示領域を平面（６）や曲面（７）、凹面あるいは球面などで構成した１０面サイコロ。
【考案の詳細な説明】
【考案の詳細な説明】
【技術分野】
【０００１】  本考案はサイコロを１０進法に適合させ、０から９まで、または１から１０の数の表示が可能で、完全に同一な条件と形状の１０個の表示面を持ち、均等な転がりと、確とした制止状態で出目表示をする、１０面サイコロの提供に関するものである。
【背景技術】
【０００２】  従来、１０面のサイコロとして、一つの正方形を四つの梯形で支えた５面体を、表裏で合わせて１０面体としたもの（平１−６５０８４）や、１０個の変形四角形を立方体に近い形にまとめたもの（平６−４４５９４）などがある。これらは、表示面の形が不揃いで、サイコロの円満な転がりや均等な出目を満足させるものではなかった。【０００３】  そこで本考案者は、球状の１０面サイコロ（平９−３０４０３６８）として、球表面の大円と、直角に交差する大円に内接する正六角形の各辺を、直径とする１０個の円を配して、同一の表示面を達成させ、円満な転がりや出目の均等性を満足させる１０面サイコロを考案した。【０００４】  しかしながら、サイコロの目の表示面は、同一形状ではあるが、表示面のそれぞれが占有する場所の地形的なものは不均一で、重心から均等な距離にあっても、比重的に同一とは云えないものがあった。従って出目の厳密な均等性を持っているかどうか、疑念をはさむ余地が、徐々に考えられてきた。
【考案が解決しようとする課題】
【０００５】  本考案は、１０個の表示面が完全に同一の形状をもち、その表示面が占める場所の地形的な条件や比重も完全に均等で、転がりもよく、しかも確かで安定的な制止を見せる１０面サイコロの提供を課題とする。
【課題を解決するための手段】
【０００６】  課題を解決するための手段として、基本を球形とし、半球ごと均等に５個の区画に分割、かつ天地が対応して表示面が上向きになるように、大円と半球の頂点とを結ぶ弧の位置を、互い違いにすることとして、以下のように考案した。
【０００７】  球表面を想定し、その大円（１）上に、等間隔で１０個の点（２）を設ける。それらの点を、交互に、大円で二分された両方の半球の頂点（３）と結び、半球ごと、それぞれ５本の弧（４）を得る。大円の両半球側、５個づつの点で分けられた大円のそれぞれを、大円上の弧とみなす。これらの頂点と結ぶ弧と、大円上の弧を、可塑材や構造物などで形成する球の基準線として確定させ、この線や、弧に内在する弦（５）などによって得られた１０個の区画を、サイコロの目や、数字などの表示領域とし、表示領域を平面（６）や曲面（７）、凹面あるいは球面などで構成した１０面サイコロである。
【考案実施の形態】
【０００８】  教育玩具として、このサイコロを振ることで、興味深く数に馴染ませ、加減乗除の学習が即決即断で行えるようになる。
【０００９】  大型の１０面サイコロで、体育を兼ねた点取りゲームなどが考えられる。
【００１０】  この１０面サイコロは、愛玩物となり、美的な装飾物とすることが出来る。
【００１１】  非論理的な数の選定が出来るので、暗号や、暗証番号作りに役立つ。
【考案の効果】
【００１２】  本考案によって、１０個の表示面に完全に同一の形状を与え、その表示面が占める場所の地形的な条件や比重も、完全に均等なものとなった。大円と弧は不連続ながらも、球を形成しているので、速い回転では滑らかな転がりを見せ、転がりが緩やかになると、隣り合う弧のそれぞれ１点と、大円の１点の都合３点が、キャスティングされる盤面に馴染んで制動し、確りとした制止を見せて、動と静の二律背反性を程よく融合させ、課題を解決した。デザイン的にも、表示面は平面、曲面、凹面、そして球面と多彩な１０面サイコロである。
【図面の簡単な説明】
【図１】  本考案の概念を説明する作図である。
【図２】  本考案の一実施例（平面の表示面）を示した側面図である。
【図３】  本考案の一実施例（曲面の表示面）を示した側面図である。
【図４】  本考案の一実施例（平面と曲面折衷の表示面）を示した側面図。
【符号の説明】
１‥‥大円
２‥‥点
３‥‥半球の頂点
４‥‥弧
５‥‥弦
６‥‥平面の表示面
７‥‥曲面の表示面
【図１】
0003102709.tif 000003
【図２】
0003102709.tif 000004
【図３】
0003102709.tif 000005
【図４】
0003102709.tif 000006
【手続補正書】
【提出日】平成15年10月17日(2003.10.17)
【手続補正３】
【補正対象書類名】実用新案登録請求の範囲
【補正対象項目名】全文
【補正方法】変更
【補正の内容】
【実用新案登録請求の範囲】
【請求項１】
球表面の大円（１）上に、等間隔で５個の点（２）を設け、それらの点を基点として、大円によって二分された球の、第１半球の頂点（３）とを結んで、５本の弧（４）を立ち上げ、前記と同じ大円上に、前記第１半球の弧の基点と、隣り合っている弧の基点間の中心に位置する５個の点を設け、それぞれ第２半球の頂点と結んで、５本の弧とし、半球ごと交互に計１０本の弧を得て、これらの弧と大円が骨格となって形作る１０個の区画を、サイコロの目や数字などの表示領域とし、弧や大円の骨格そのものに表示をさせる１０面サイコロ。
【請求項２】
請求項１の表示領域の区画を、弧に対応する弦（５）を利用した平面や、隣り合う弧と弧の曲線に沿う曲面、或いは凹面、球面などの、面で構成し表示面とする１０面サイコロ。
【手続補正５】
【補正対象書類名】明細書
【補正対象項目名】０００７
【補正方法】変更
【補正の内容】
【０００７】  球表面の大円（１）上に、等間隔で５個の点（２）を設け、それらの点を基点とし、大円によって二分された球の、第１半球の頂点（３）とを結んで、５本の弧（４）を立ち上げ、同じ大円上に、前記第１半球の弧の基点と、隣り合っている弧の基点間の中心に位置する５個の点を設け、それぞれ第２半球の頂点と結んで、５本の弧とし、半球ごと交互に計１０本の弧を得て、これらの弧と大円が骨格となって形作る１０個の区画を、サイコロの目や数字などの表示領域とし、区画の骨格そのものに表示をさせ、或いは区画を平面や曲面、凹面あるいは球面などの面で構成して、その面で表示をする１０面サイコロとした
【手続補正６】
【補正対象書類名】明細書
【補正対象項目名】図面の簡単な説明
【補正方法】変更
【補正の内容】
【図面の簡単な説明】
【図１】  本考案の原型を説明する作図である。
【図２】  本考案の一実施例（骨格に平面を与えて数表示した）の透視図。
【図３】  本考案の一実施例（骨格を三角として数表示した）の透視図。
【手続補正７】
【補正対象書類名】図面
【補正対象項目名】図２
【補正方法】変更
【補正の内容】
【図２】
0003102709.tif 000007
【手続補正８】
【補正対象書類名】図面
【補正対象項目名】図３
【補正方法】変更
【補正の内容】
【図３】
0003102709.tif 000008
【手続補正書】
【提出日】平成16年2月19日(2004.2.19)
【手続補正１】
【補正対象書類名】手続補正書
【補正対象項目名】手続補正１
【補正方法】削除
【補正の内容】
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正４
【補正方法】変更
【補正の内容】
【手続補正４】
【補正対象書類名】明細書
【補正対象項目名】全文
【補正方法】変更
【補正の内容】
【考案の詳細な説明】
【技術分野】
【０００１】  本考案はサイコロを１０進法に適合させ、０から９まで、または１から１０の数の表示が可能で、完全に同一な条件と形状の１０個の表示面を持ち、均等な転がりと、確とした制止状態で出目表示をする、１０面サイコロの提供に関するものである。
【背景技術】
【０００２】  従来、１０面のサイコロとして、一つの正方形を四つの梯形で支えた５面体を、表裏で合わせて１０面体としたもの（平１−６５０８４）や、１０個の変形四角形を立方体に近い形にまとめたもの（平６−４４５９４）などがある。これらは、表示面の形が不揃いで、サイコロの円満な転がりや均等な出目を満足させるものではなかった。【０００３】  そこで本考案者は、球状の１０面サイコロ（平９−３０４０３６８）として、球表面の大円と、直角に交差する大円に内接する正六角形の各辺を、直径とする１０個の円を配して、同一の表示面を達成させ、円満な転がりや出目の均等性を満足させる１０面サイコロを考案した。【０００４】  しかしながら、サイコロの目の表示面は、同一形状ではあるが、表示面のそれぞれが占有する場所の地形的なものは不均一で、重心から均等な距離にあっても、比重的に同一とは云えないものがあった。従って出目の厳密な均等性を持っているかどうか、疑念をはさむ余地が、徐々に考えられてきた。
【考案が解決しょうとする課題】
【０００５】  本考案は、１０個の表示面が完全に同一の形状をもち、その表示面が占める場所の地形的な条件や比重も完全に均等で、転がりもよく、しかも確かで安定的な制止を見せる１０面サイコロの提供を課題とする。
【課題を解決するための手段】
【０００６】  課題を解決するための手段として、基本を球形とし、半球ごと均等に５個の区画に分割、かつ天地が対応して表示面が上向きになるように、大円と半球の頂点とを結ぶ弧の位置を、互い違いにすることとして、以下のように考案した。
【０００７】  球表面の大円（１）上に、等間隔で５個の点（２）を設け、それらの点を基点とし、大円によって二分された球の、第１半球の頂点（３）とを結んで、５本の弧（４）を立ち上げ、同じ大円上に、前記第１半球の弧の基点と、隣り合っている弧の基点間の中心に位置する５個の点を設け、それぞれ第２半球の頂点と結んで、５本の弧とし、半球ごと交互に計１０本の弧を得て、これらの弧と大円が骨格となって形作る１０個の区画を、サイコロの目や数字などの表示領域とし、区画の骨格そのものに表示をさせ、或いは区画を平面や曲面、凹面あるいは球面などの面で構成して、その面で表示をする１０面サイコロとした
【考案実施の形態】
【０００８】  教育玩具として、このサイコロを振ることで、興味深く数に馴染ませ、加減乗除の学習が即決即断で行えるようになる。
【０００９】  大型の１０面サイコロで、体育を兼ねた点取りゲームなどが考えられる。
【００１０】  この１０面サイコロは、愛玩物となり、美的な装飾物とすることが出来る。
【００１１】  非論理的な数の選定が出来るので、暗号や、暗証番号作りに役立つ。
【考案の効果】
【００１２】  本考案によって、１０個の表示面に完全に同一の形状を与え、その表示面が占める場所の地形的な条件や比重も、完全に均等なものとなった。大円と弧は不連続ながらも、球を形成しているので、速い回転では滑らかな転がりを見せ、転がりが緩やかになると、隣り合う弧のそれぞれ１点と、大円の１点の都合３点が、キャスティングされる盤面に馴染んで制動し、確りとした制止を見せて、動と静の二律背反性を程よく融合させ、課題を解決した。デザイン的にも、表示面は平面、曲面、凹面、そして球面と多彩な１０面サイコロである。
【図面の簡単な説明】
【００１３】
【図１】  本考案の原型を説明する作図である。
【図２】  本考案の一実施例（骨格に平面を与えて数表示した）の透視図。
【図３】  本考案の一実施例（骨格を三角として数表示した）の透視図。
【図４】  本考案の一実施例（平面と曲面折衷の表示面）を示した側面図。
【符号の説明】
【００１４】        １‥‥大円
２‥‥点
３‥‥半球の頂点
４‥‥弧
５‥‥弦
６‥‥平面の表示面
７‥‥曲面の表示面
【手続補正４】
【補正対象書類名】手続補正書
【補正対象項目名】手続補正５
【補正方法】削除
【補正の内容】
【手続補正５】
【補正対象書類名】手続補正書
【補正対象項目名】手続補正６
【補正方法】削除
【補正の内容】